(57)【要約】      （修正有）【課題】ディスク交換時間をより一層抑えることができるディスク装置を提供する。【解決手段】複数枚のディスクを積層状態で保持し、保持した複数枚のディスクを複数のディスクドライブのそれぞれに供給するとともに、供給した複数枚のディスクを積層状態で回収するキャリアを備え、キャリアは、複数のディスクドライブから回収した第１の複数枚のディスク１００Ａと、次に複数のディスクドライブに供給する第２の複数枚のディスクとの積層体を保持可能に構成される。【選択図】図５１
2014017044.tif 000002
【特許請求の範囲】
【請求項１】
複数枚のディスクを積層状態で保持し、当該保持した複数枚のディスクを複数のディスクドライブのそれぞれに供給するとともに、当該供給した複数枚のディスクを積層状態で回収するキャリアを備え、
前記キャリアは、前記複数のディスクドライブから回収した第１の複数枚のディスクと、次に前記複数のディスクドライブに供給する第２の複数枚のディスクとの積層体を保持可能に構成されている、ディスク装置。
【請求項２】
前記キャリアが前記積層体を保持した状態において、前記第１の複数枚のディスクが位置する第１の保持空間は、前記第２の複数枚のディスクが位置する第２の保持空間の２以上の整数倍の高さを有する、請求項１に記載のディスク装置。
【請求項３】
前記キャリアは、複数枚のディスクのうち最下部のディスクを支持するディスク支持部を備え、
前記第２の保持空間は、前記ディスク支持部の上方に設けられ、
前記第１の保持空間は、前記第２の保持空間の上方で接するように設けられている、
請求項１又は２に記載のディスク装置。
【請求項４】
前記キャリアは、前記第２の複数枚のディスクの上方で前記第１の複数枚のディスクの保持を解除して、前記第２の複数枚のディスク上に前記第１の複数枚のディスクを積層した後、前記第１の複数枚のディスクと前記第２の複数枚のディスクとの積層体を保持するように構成されている、請求項１に記載のディスク装置。
【請求項５】
前記キャリアは、前記第１及び第２の複数枚のディスクのそれぞれに設けられた中心穴に挿入され、前記第１及び第２の複数枚のディスクを保持するディスクチャックユニットを備える、請求項４に記載のディスク装置。
【請求項６】
前記第１の複数枚のディスクを収納する第１のマガジントレイと、
前記第２の複数枚のディスクを収納する第２のマガジントレイと、
を更に備え、
前記キャリアは、前記第２のマガジントレイに収納された前記第２の複数枚のディスク上に前記第１の複数枚のディスクを積層した後、前記積層体を保持し、当該積層体のうち第２の複数枚のディスクを前記複数のディスクドライブのそれぞれに供給した後、前記第１の複数枚のディスクを前記第１のマガジントレイに収納する、
請求項４〜５のいずれか１つに記載のディスク装置。
【請求項７】
前記第１及び第２のマガジントレイを搬送するピッカーを更に備え、
前記ピッカーは、
前記キャリアが前記第１の複数枚のディスクを保持した状態で、前記第２のマガジントレイを受け渡し位置に搬送することにより、前記キャリアを前記積層体を保持可能な状態にし、
前記キャリアが前記積層体のうち第２の複数枚のディスクを前記複数のディスクドライブのそれぞれに供給するとき、前記第２のマガジントレイを所定の位置に搬送するとともに、前記第１のマガジントレイを前記受け渡し位置に搬送し、
前記キャリアが前記第１の複数枚のディスクを前記第１のマガジントレイに収納した後、前記第１のマガジントレイを所定の位置に搬送する、
請求項６に記載のディスク装置。
【発明の詳細な説明】
【技術分野】
【０００１】
本開示は、複数のディスクドライブのそれぞれにディスク（ＣＤやＤＶＤなどのディスク状の情報記憶媒体）を供給するディスク装置に関する。
【背景技術】
【０００２】
従来、この種のディスク装置として、例えば、特許文献１（特開２０１１−２０４３１１号公報）に記載された装置が知られている。特許文献１のディスク装置は、１枚のディスクを収納するマガジントレイを複数備えるマガジンと、複数のディスクドライブとを備えている。特許文献１のディスク装置は、マガジンから任意のマガジントレイを引き出し、当該引き出されたマガジントレイに収納された１枚のディスクを吸着パッドにより吸着保持し、任意のディスクドライブのトレイに載置するように構成されている。また、特許文献１のディスク装置は、複数のディスクドライブのそれぞれに供給したディスクを１枚ずつ吸着パッドにより吸着保持し、任意のマガジントレイに返却するように構成されている。
【先行技術文献】
【特許文献】
【０００３】
【特許文献１】特開２０１１−２０４３１１号公報
【発明の概要】
【発明が解決しようとする課題】
【０００４】
近年、クラウドコンピューティングの進展に伴い、前記ディスク装置においては、データ容量のより一層の増加が求められている。データ容量を増加させるには、単純には、マガジンの数を増加させ、ディスクの収納枚数を増加させればよいと考えられる。
【０００５】
しかしながら、マガジンの数を増加させると、ディスクドライブから最も離れて配置されるマガジンと当該ディスクドライブとの距離は必然的に長くなり、ディスクの搬送時間が増加することになる。また、前記特許文献１のディスク装置では、ディスクを１枚ずつマガジンとディスクドライブとの間を搬送するように構成されているので、複数のディスクドライブに供給したディスクを次のディスクに交換するには、相当な時間を要する。
【０００６】
そこで、本出願人により、複数枚のディスクを積層状態で保持し、当該保持した複数枚のディスクを複数のディスクドライブのそれぞれに供給するとともに、当該供給した複数枚のディスクを積層状態で回収するキャリアを備える、ディスク装置が検討されている。
【０００７】
このディスク装置によれば、マガジンとディスクドライブとの間は複数枚のディスクを一括して搬送することができるので、複数のディスクドライブに供給したディスクを次のディスクに交換するのに要する時間（以下、ディスク交換時間という。）を大幅に抑えることができる。
【０００８】
しかしながら、このディスク装置においては、ディスク交換時間を抑えるという観点において、未だ改善の余地がある。
【０００９】
本開示は、ディスク交換時間をより一層抑えることができるディスク装置を提供する。
【課題を解決するための手段】
【００１０】
本開示におけるディスク装置は、複数枚のディスクを積層状態で保持し、当該保持した複数枚のディスクを複数のディスクドライブのそれぞれに供給するとともに、当該供給した複数枚のディスクを積層状態で回収するキャリアを備え、
前記キャリアは、前記複数のディスクドライブから回収した第１の複数枚のディスクと、次に前記複数のディスクドライブに供給する第２の複数枚のディスクとの積層体を保持可能に構成されている。
【発明の効果】
【００１１】
本開示のディスク装置によれば、前記構成を有することにより、ディスク交換時間をより一層抑えることができる。
【図面の簡単な説明】
【００１２】
【図１】本実施形態に係るディスク装置の概略構成を示す斜視図である。
【図２Ａ】図１のディスク装置が備えるマガジンの斜視図である。
【図２Ｂ】図２Ａのマガジン分解斜視図である。
【図３】図１のディスク装置が備えるピッカーの斜視図である。
【図４】図３のピッカーが備える昇降台の駆動系の構成を示す平面図である。
【図５】図３のピッカーを斜め下方から見た斜視図である。
【図６】図３のピッカーが、複数のマガジンから選択されたマガジンの前方に移動した状態を示す平面図である。
【図７】図３のピッカーがマガジンからマガジントレイを引き出す様子を示す平面図である。
【図８】図３のピッカーがマガジンからマガジントレイを引き出す様子を示す平面図である。
【図９】図３のピッカーがマガジンからマガジントレイを引き出す様子を示す平面図である。
【図１０】図３のピッカーがマガジンからマガジントレイを引き出す様子を示す平面図である。
【図１１】図３のピッカーがマガジンからマガジントレイを引き出す様子を示す平面図である。
【図１２】図３のピッカーがマガジンからマガジントレイを引き出した状態を示す平面図である。
【図１３】図３のピッカーがマガジントレイを複数のディスクドライブの近傍に搬送した状態を示す平面図である。
【図１４】図３のピッカーがマガジントレイを複数のディスクドライブの近傍に搬送した状態を示す斜視図である。
【図１５】図３のピッカーがマガジントレイを、図１のディスク装置が備えるリフターの上方に移動させた状態を示す斜視図である。
【図１６】図１のディスク装置が備えるリフターのマガジントレイガイドを取り外した状態を示す分解斜視図である。
【図１７】図１のディスク装置が備えるリフターのマガジントレイガイドを取り外した状態を示す組立斜視図である。
【図１８】図１のディスク装置が備えるキャリアの斜視図である。
【図１９】図１８のキャリアの一部拡大側面図である。
【図２０】図１８のキャリアが備えるディスクチャックユニットがマガジントレイの上方近傍まで下降された状態を示す斜視図である。
【図２１】全てのディスクがディスクチャックユニットに支持された状態を示す斜視図である。
【図２２】図２１に示す状態から、ピッカーが装置前方に移動して、マガジントレイがディスクドライブの近傍から退避した状態を示す斜視図である。
【図２３】図２２に示す状態から、最下段のディスクドライブのトレイが排出された状態を示す斜視図である。
【図２４】図２３に示す状態から、ディスクチャックユニットが保持する複数枚のディスクがトレイの上方に位置するように、移動ベースが下降された状態を示す斜視図である。
【図２５】最下部のディスクがトレイ上に載置された状態を示す斜視図である。
【図２６】図２５に示す状態から、トレイがディスクドライブ内に搬入された状態を示す斜視図である。
【図２７】キャリアが最上段のディスクドライブのトレイにディスクを載置する様子を示す斜視図である。
【図２８】キャリアが回収した複数枚のディスクをマガジントレイ内に収納した状態を示す斜視図である。
【図２９】図１８のキャリアが備えるディスクチャックユニットの分解斜視図であり、斜め上方から見た図である。
【図３０】図１８のキャリアが備えるディスクチャックユニットの分解斜視図であり、斜め下方から見た図である。
【図３１】図２９のディスクチャックユニットが備える２つのセパレータフックと２つのボトムフックの拡大斜視図である。
【図３２】内周部に凹部が設けられたディスクを示す断面図である。
【図３３】図２９のディスクチャックユニットが備えるスピンドルヘッドをスピンドルシャフトの下端部にネジにより固定した状態を示す斜視図である。
【図３４】図２９のディスクチャックユニットが備えるスピンドルヘッドの斜視図である。
【図３５】図２９のディスクチャックユニットが備えるカムシャフトユニットの分解斜視図である。
【図３６】図３５のカムシャフトユニットが備える２つのカムプレートを斜め下方から見た斜視図である。
【図３７Ａ】一方のセパレータフックの駆動ピンが一方のカムプレートの上面に形成されたカム溝を摺動する様子を示す図である。
【図３７Ｂ】一方のセパレータフックの駆動ピンが一方のカムプレートの上面に形成されたカム溝を摺動する様子を示す図である。
【図３７Ｃ】一方のセパレータフックの駆動ピンが一方のカムプレートの上面に形成されたカム溝を摺動する様子を示す図である。
【図３７Ｄ】一方のセパレータフックの駆動ピンが一方のカムプレートの上面に形成されたカム溝を摺動する様子を示す図である。
【図３８Ａ】他方のセパレータフックの駆動ピンが一方のカムプレートの下面に形成されたカム溝を摺動する様子を示す図である。
【図３８Ｂ】他方のセパレータフックの駆動ピンが一方のカムプレートの下面に形成されたカム溝を摺動する様子を示す図である。
【図３８Ｃ】他方のセパレータフックの駆動ピンが一方のカムプレートの下面に形成されたカム溝を摺動する様子を示す図である。
【図３８Ｄ】他方のセパレータフックの駆動ピンが一方のカムプレートの下面に形成されたカム溝を摺動する様子を示す図である。
【図３９Ａ】一方のボトムフックの駆動ピンが他方のカムプレートの上面に形成されたカム溝を摺動する様子を示す図である。
【図３９Ｂ】一方のボトムフックの駆動ピンが他方のカムプレートの上面に形成されたカム溝を摺動する様子を示す図である。
【図３９Ｃ】一方のボトムフックの駆動ピンが他方のカムプレートの上面に形成されたカム溝を摺動する様子を示す図である。
【図３９Ｄ】一方のボトムフックの駆動ピンが他方のカムプレートの上面に形成されたカム溝を摺動する様子を示す図である。
【図４０Ａ】他方のボトムフックの駆動ピンが他方のカムプレートの下面に形成されたカム溝を摺動する様子を示す図である。
【図４０Ｂ】他方のボトムフックの駆動ピンが他方のカムプレートの下面に形成されたカム溝を摺動する様子を示す図である。
【図４０Ｃ】他方のボトムフックの駆動ピンが他方のカムプレートの下面に形成されたカム溝を摺動する様子を示す図である。
【図４０Ｄ】他方のボトムフックの駆動ピンが他方のカムプレートの下面に形成されたカム溝を摺動する様子を示す図である。
【図４１Ａ】図３７Ａ〜図４０Ｄに示す各フックが対応するカム溝を摺動する様子を、カムシャフトと各フックとの位置関係に着目して示す図である。
【図４１Ｂ】図３７Ａ〜図４０Ｄに示す各フックが対応するカム溝を摺動する様子を、カムシャフトと各フックとの位置関係に着目して示す図である。
【図４１Ｃ】図３７Ａ〜図４０Ｄに示す各フックが対応するカム溝を摺動する様子を、カムシャフトと各フックとの位置関係に着目して示す図である。
【図４１Ｄ】図３７Ａ〜図４０Ｄに示す各フックが対応するカム溝を摺動する様子を、カムシャフトと各フックとの位置関係に着目して示す図である。
【図４２】図１８のキャリアが複数枚のディスクから１枚のディスクを分離する様子を模式的に示す図である。
【図４３】図１８のキャリアが複数枚のディスクから１枚のディスクを分離する様子を模式的に示す図である。
【図４４】図１８のキャリアが複数枚のディスクから１枚のディスクを分離する様子を模式的に示す図である。
【図４５】図１８のキャリアが複数枚のディスクから１枚のディスクを分離する様子を模式的に示す図である。
【図４６】図１８のキャリアが複数枚のディスクから１枚のディスクを分離する様子を模式的に示す図である。
【図４７】図１８のキャリアが複数枚のディスクから１枚のディスクを分離する様子を模式的に示す図である。
【図４８】図１８のキャリアが複数枚のディスクから１枚のディスクを分離する様子を模式的に示す図である。
【図４９】図１８のキャリアが複数枚のディスクから１枚のディスクを分離する様子を模式的に示す図である。
【図５０】図１８のキャリアが複数枚のディスクから１枚のディスクを分離する様子を模式的に示す図である。
【図５１】図１８のキャリアが第１の複数枚のディスクを保持した状態を示す側面図である。
【図５２】図１８のキャリアが第１及び第２の複数枚のディスクを保持した状態を示す側面図である。
【図５３】図１のディスク装置におけるディスクの交換動作を示すフローチャートである。
【図５４】図１のディスク装置におけるディスクの交換動作を示す斜視図である。
【図５５】図１のディスク装置におけるディスクの交換動作を示す斜視図である。
【図５６】図１のディスク装置におけるディスクの交換動作を示す斜視図である。
【図５７】図１のディスク装置におけるディスクの交換動作を示す斜視図である。
【図５８】図１のディスク装置におけるディスクの交換動作を示す斜視図である。
【図５９】図１のディスク装置におけるディスクの交換動作を示す斜視図である。
【図６０】クラウド・コンピューティング・システムを利用して図１のディスク装置の制御を行う場合のシステムの構成の一例を示す構成図である。
【図６１】比較例に係るディスクの交換動作を示すフローチャートである。
【発明を実施するための形態】
【００１３】
（本開示の基礎となった知見）
前述した本出願人により検討されているディスク装置は、図６１に示すような手順でディスクの交換を行う。
【００１４】
まず、複数のディスクドライブのそれぞれに供給された第１の複数枚のディスクを、キャリアにより積層状態で回収する（ステップＳ１１）。
【００１５】
次いで、第１のマガジントレイを受け渡し位置に搬送する（ステップＳ１２）。ここで、「受け渡し位置」とは、複数枚のディスクを、キャリアからマガジントレイに又はマガジントレイからキャリアに受け渡し可能な位置をいう。
【００１６】
次いで、キャリアが、回収した第１の複数枚のディスクを第１のマガジントレイに収納する（ステップＳ１３）。
次いで、第１のマガジントレイを所定の位置に返却する（ステップＳ１４）。
次いで、第２のマガジントレイを受け渡し位置に搬送する（ステップＳ１５）。
【００１７】
次いで、キャリアが、第２のマガジントレイに収納された第２の複数枚のディスクを保持する（ステップＳ１６）。
次いで、複数のディスクドライブのそれぞれに、キャリアが保持する第２の複数枚のディスクを供給する（ステップＳ１７）。
これにより、ディスクの交換が完了する。
【００１８】
発明者らは、ディスク交換時間をより一層抑える観点で鋭意検討した結果、以下のことを見出した。発明者らは、キャリアが回収した第１の複数枚のディスクを直ぐに第１のマガジントレイに収納するのではなく、当該回収した第１の複数枚のディスクに加えて、第２のマガジントレイに収納された第２の複数枚のディスクをキャリアに保持させ、当該第２の複数枚のディスクを複数のディスクドライブに供給することで、ディスク交換時間を大幅に抑えられることを見出した。この知見に基づき、発明者らは、以下の開示に至った。
【００１９】
本開示の第１態様によれば、複数枚のディスクを積層状態で保持し、当該保持した複数枚のディスクを複数のディスクドライブのそれぞれに供給するとともに、当該供給した複数枚のディスクを積層状態で回収するキャリアを備え、
前記キャリアは、前記複数のディスクドライブから回収した第１の複数枚のディスクと、次に前記複数のディスクドライブに供給する第２の複数枚のディスクとの積層体を保持可能に構成されている、ディスク装置を提供する。
【００２０】
本開示の第２態様によれば、前記キャリアが前記積層体を保持した状態において、前記第１の複数枚のディスクが位置する第１の保持空間は、前記第２の複数枚のディスクが位置する第２の保持空間の２以上の整数倍の高さを有する、第１態様に記載のディスク装置を提供する。
【００２１】
本開示の第３態様によれば、前記キャリアは、複数枚のディスクのうち最下部のディスクを支持するディスク支持部を備え、
前記第２の保持空間は、前記ディスク支持部の上方に設けられ、
前記第１の保持空間は、前記第２の保持空間の上方で接するように設けられている、
第１又は２態様に記載のディスク装置を提供する。
【００２２】
本開示の第４態様によれば、前記キャリアは、前記第２の複数枚のディスクの上方で前記第１の複数枚のディスクの保持を解除して、前記第２の複数枚のディスク上に前記第１の複数枚のディスクを積層した後、前記第１の複数枚のディスクと前記第２の複数枚のディスクとの積層体を保持するように構成されている、第１態様に記載のディスク装置を提供する。
【００２３】
本開示の第５態様によれば、前記キャリアは、前記第１及び第２の複数枚のディスクのそれぞれに設けられた中心穴に挿入され、前記第１及び第２の複数枚のディスクを保持するディスクチャックユニットを備える、第４態様に記載のディスク装置を提供する。
【００２４】
本開示の第６態様によれば、前記第１の複数枚のディスクを収納する第１のマガジントレイと、
前記第２の複数枚のディスクを収納する第２のマガジントレイと、
を更に備え、
前記キャリアは、前記第２のマガジントレイに収納された前記第２の複数枚のディスク上に前記第１の複数枚のディスクを積層した後、前記積層体を保持し、当該積層体のうち第２の複数枚のディスクを前記複数のディスクドライブのそれぞれに供給した後、前記第１の複数枚のディスクを前記第１のマガジントレイに収納する、
第４〜５態様のいずれか１つに記載のディスク装置を提供する。
【００２５】
本開示の第７態様によれば、前記第１及び第２のマガジントレイを搬送するピッカーを更に備え、
前記ピッカーは、
前記キャリアが前記第１の複数枚のディスクを保持した状態で、前記第２のマガジントレイを受け渡し位置に搬送することにより、前記キャリアを前記積層体を保持可能な状態にし、
前記キャリアが前記積層体のうち前記第２の複数枚のディスクを前記複数のディスクドライブのそれぞれに供給するとき、前記第２のマガジントレイを所定の位置に搬送するとともに、前記第１のマガジントレイを前記受け渡し位置に搬送し、
前記キャリアが前記第１の複数枚のディスクを前記第１のマガジントレイに収納した後、前記第１のマガジントレイを所定の位置に搬送する、
第６態様に記載のディスク装置を提供する。
【００２６】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２７】
なお、発明者らは、当業者が本開示を十分に理解するために添付図面及び以下の説明を提供するものであって、これらによって特許請求の範囲に記載の主題を限定することを意図するものではない。
【００２８】
《実施形態》
図１は、本実施形態に係るディスク装置の概略構成を示す斜視図である。なお、本実施形態においては、図１の左下側を「装置前方」といい、図１の右上側を「装置後方」という。
【００２９】
まず、図１を用いて、本実施形態に係るディスク装置の全体構成について説明する。
【００３０】
本実施形態に係るディスク装置は、２つのマガジンストッカー１，１を備えている。２つのマガジンストッカー１，１は、底シャーシ１１上において、装置幅方向Ｙに互いに対向するように設けられている。なお、図１では、一方（手前側）のマガジンストッカー１の図示を省略している。また、図１では、マガジンストッカー１の天板及び仕切板の図示を省略している。
【００３１】
各マガジンストッカー１には、複数のマガジン２が収納されている。各マガジン２は、複数枚（例えば、１２枚）のディスクを収納するマガジントレイ２１を有している。２つのマガジンストッカー１，１の間には、複数のマガジン２の中から選択された１つのマガジン２からマガジントレイ２１を引き出し、当該マガジントレイ２１を保持するピッカー３が設けられている。
【００３２】
ピッカー３は、当該保持したマガジントレイ２１を、装置後方に配置された複数のディスクドライブ４の近傍まで搬送するように構成されている。ピッカー３には、マガジントレイ２１から複数枚のディスクを押し出すリフター５が一体的に設けられている。
【００３３】
ディスクドライブ４は、ディスクに対して情報の記録又は再生を行う装置である。また、ディスクドライブ４は、トレイを用いてディスクをローディングするトレイ方式のディスクドライブである。複数のディスクドライブ４は、装置高さ方向Ｚに積層され、装置後方において各マガジンストッカー１，１に隣接して配置されている。一方のマガジンストッカー１に隣接して積層配置された複数のディスクドライブ４と、他方のマガジンストッカー１に隣接して積層配置された複数のディスクドライブ４との間には、キャリア６が設けられている。
【００３４】
キャリア６は、リフター５により押し出された複数枚のディスクを積層状態で保持し、任意のディスクドライブ４から排出されたトレイ４ａ（図２３参照）の上方で、前記保持した複数枚のディスクから１枚のディスクを分離し、当該分離したディスクを前記トレイ４ａに載置するように構成されている。
【００３５】
キャリア６及び複数のディスクドライブ４より更に装置後方には、電気回路及び電源７が設けられている。電気回路及び電源７には、ピッカー３、ディスクドライブ４、キャリア６などの各装置の動作（モータ等）を制御する制御部が設けられている。当該制御部は、例えば、データを管理するホストコンピュータに接続されている。ホストコンピュータは、オペレータの指示に基づき、指定のマガジン２へのデータの書き込み又は読み出し等の動作を行うように制御部に指令を送る。制御部は、当該指令に従い、ピッカー３、ディスクドライブ４、キャリア６などの各装置の動作を制御する。
【００３６】
次に、前述した各装置及び各部品の構成についてより詳しく説明する。
【００３７】
マガジンストッカー１は、ピッカー３を摺動自在にガイドするガイドレール１２に沿って設けられている。ガイドレール１２は、装置奥行き方向Ｘに（マガジンストッカー１の長手方向）に延在するように設けられている。マガジンストッカー１の装置前方側の側面には、把手１３が設けられている。把手１３を引くことにより、マガジンストッカー１を装置前方に移動させることができる。各マガジンストッカー１は、装置幅方向Ｙから見て格子状に形成された仕切板（図示せず）を備えている。当該仕切板に囲まれたそれぞれの空間にマガジン２が収納されている。
【００３８】
マガジン２は、図２Ａに示すように、マガジントレイ２１と、マガジントレイ２１を収納する略直方体形状のケース２２とを備えている。ケース２２の前面（一側面）には、図２Ｂに示すように、マガジントレイ２１を挿抜可能な開口部２２ａが設けられている。
【００３９】
マガジントレイ２１は、外形が平面視において略矩形状に形成されている。マガジントレイ２１は、複数枚のディスク１００を互いに密着して積層した状態で収納する。マガジントレイ２１がケース２２内に収納された際にケース２２の背面側に位置する両コーナー部分には、カット部２１ａ，２１ａが形成されている。また、マガジントレイ２１がケース２２内に収納された際にケース２２の背面側に位置する側面２１ｂは、カット部２１ａ，２１ａを含む全体が円弧状に形成されている。
【００４０】
マガジントレイ２１がケース２２内に収納された際にケース２２の前面側に位置する両コーナー部分には、切欠部２１ｃ，２１ｃが形成されている。マガジントレイ２１の幅方向において、切欠部２１ｃ，２１ｃの内側には、後述する一対のフック３５，３５が係合する係合凹部２１ｄ，２１ｄが形成されている。
【００４１】
マガジントレイ２１には、複数枚のディスク１００のそれぞれに設けられた中心穴１００ａに挿入され、各ディスク１００の面方向の移動を規制する芯棒２３が設けられている。この芯棒２３により、各ディスク１００の面方向の移動による各ディスク１００の傷付きが防止される。芯棒２３には、後述するディスクチャックユニット６２のスピンドルヘッド６７ｂが係合する係合部２３ａが設けられている。
【００４２】
芯棒２３の近傍には、後述するリフター５の昇降ピン５２ａが挿入される孔２１ｅが少なくとも１つ以上設けられている。本実施形態では、３つの孔２１ｅが１２０度間隔で設けられている。また、３つの孔２１ｅは、ディスク１００が芯棒２３に挿入されたとき、当該ディスク１００の内周部の非記録再生領域と対向する位置に設けられている。
【００４３】
ピッカー３は、走行ベース３１を備えている。走行ベース３１の一方のマガジンストッカー１側には、図３に示すように、ガイドレール１２を摺動自在に移動する台車３１ａが取り付けられている。また、走行ベース３１の他方のマガジンストッカー１側には、図４に示すように、ローラ３１ｂが取り付けられている。
【００４４】
走行ベース３１には、図３に示すように、ピッカー３を装置奥行き方向Ｘに移動させる駆動力を発生させるピッカーモータ３１ｃが設けられている。ピッカーモータ３１ｃの駆動軸に圧入されたモータギヤ３１ｉには、減速ギヤ３１ｄが噛み合っている。減速ギヤ３１ｄは、ピニオンギヤ３１ｅと噛み合っている。ピニオンギヤ３１ｅは、ガイドレール１２に隣接して装置奥行き方向Ｘに延在するように設けられたラック１４と噛み合っている。
【００４５】
ピッカーモータ３１ｃが駆動されると、ピッカーモータ３１ｃの駆動力がモータギヤ３１ｉ、減速ギヤ３１ｄを介してピニオンギヤ３１ｅに伝達され、ピニオンギヤ３１ｅが回転する。ここで、ラック１４は、底シャーシ１１に固定されている。一方、走行ベース３１は、底シャーシ１１に固定されていない。このため、ピニオンギヤ３１ｅが回転すると、ピニオンギヤ３１ｅがラック１４に沿って移動し、ピッカー３が装置奥行き方向Ｘに移動する。
【００４６】
ピッカーモータ３１ｃには、例えば、ステッピングモータが用いられる。当該ピッカーモータ３１ｃに所定のパルスを与えることにより、ピッカー３を所定のマガジン２の前に移動させることができる。
【００４７】
板金で形成された走行ベース３１には、樹脂で形成されたピッカーベース３１ｈが取り付けられている。ピッカーベース３１ｈには、回転台３２が、装置高さ方向Ｚに延在する回転軸３２ａを略中心として回転可能に設けられている。また、ピッカーベース３１ｈには、回転台３２を回転させる駆動力を発生させる回転台モータ３１ｆが設けられている。回転台モータ３１ｆの駆動軸に圧入されたモータギヤ３１ｊには、図４に示すように、減速ギヤ３１ｇが噛み合っている。減速ギヤ３１ｇは、回転台３２の外周部に設けられた回転台ギヤ３２ｂと噛み合っている。回転台モータ３１ｆが駆動されると、回転台モータ３１ｆの駆動力がモータギヤ３１ｊ、減速ギヤ３１ｇを介して回転台ギヤ３２ｂに伝達され、回転台３２が回転する。
【００４８】
回転台３２には、装置高さ方向Ｚに延在し且つ互いに対向するように一対の昇降レール３３，３３が設けられている。一対の昇降レール３３，３３の間には、昇降台３４が設けられている。また、回転台３２には、昇降台３４を昇降させる駆動力を発生させる昇降台モータ３２ｃが設けられている。
【００４９】
昇降台モータ３２ｃの駆動軸に圧入されたモータギヤ３２ｋには、図４に示すように、リレーギヤ３２ｄが噛み合っている。リレーギヤ３２ｄには、連結シャフトギヤ３２ｅが噛み合っている。連結シャフトギヤ３２ｅの中心部には、連結シャフト３２ｆが貫通している。連結シャフト３２ｆの両端部には、ウォーム３２ｇ，３２ｇが固定されている。各ウォーム３２ｇは、リレーギヤ３２ｈと噛みっている。各リレーギヤ３２ｈは、リードスクリューギヤ３２ｉと噛み合っている。各リードスクリューギヤ３２ｉは、リードスクリュー３２ｊに固定されている。各リードスクリュー３２ｊは、昇降レール３３に沿って装置高さ方向Ｚに延在するように設けられている。各リードスクリュー３２ｊには、図３に示すように、昇降台３４に設けられたナット３４ａが螺合している。
【００５０】
昇降台モータ３２ｃが駆動されると、昇降台モータ３２ｃの駆動力が、モータギヤ３２ｋ、リレーギヤ３２ｄ、連結シャフトギヤ３２ｅ、連結シャフト３２ｆ、ウォーム３２ｇ、リレーギヤ３２ｈ、リードスクリューギヤ３２ｉを介してリードスクリュー３２ｊに伝達され、リードスクリュー３２ｊが回転する。これにより、昇降台３４が一対の昇降レール３３，３３に沿って装置高さ方向Ｚに昇降する。
【００５１】
昇降台３４には、図８に示すように、マガジントレイ２１の係合凹部２１ｄに係合可能な一対のフック３５，３５と、一対のフック３５，３５の開閉動作を行う機構を有すると共に前後へ移動させるチャック３６とが設けられている。
【００５２】
また、昇降台３４には、図５に示すように、チャックモータ３４ｂが設けられている。チャックモータ３４ｂの駆動軸に圧入されたモータギヤ３４ｆには、減速ギヤ３４ｃが噛み合っている。減速ギヤ３４ｃは、リードスクリューギヤ３４ｄに噛み合っている。リードスクリューギヤ３４ｄは、リードスクリュー３４ｅに固定されている。リードスクリュー３４ｅは、一対の昇降レール３３，３３を結ぶ直線に対して直交する方向に延在するように設けられている。リードスクリュー３４ｅには、チャック３６に固定されたナット３６ａが螺合している。
【００５３】
チャックモータ３４ｂが駆動されると、チャックモータ３４ｂの駆動力が、モータギヤ３４ｆ、減速キヤ３４ｃ、リードスクリューギヤ３４ｄ、リードスクリュー３４ｅを介してナット３６ａに伝達され、チャック３６がリードスクリュー３４ｅに沿って移動する。
【００５４】
また、チャック３６は、一対のフック３５，３５の間隔を調整可能に構成されている。チャック３６が一対のフック３５，３５の間隔を縮めることにより、一対のフック３５，３５をマガジントレイ２１の係合凹部２１ｄ，２１ｄに係合させることができる。一方、チャック３６が一対のフック３５，３５の間隔を拡げることにより、一対のフック３５，３５とマガジントレイ２１の係合凹部２１ｄ，２１ｄとの係合状態を解除することができる。
【００５５】
一対の昇降レール３３は、Ｕ字状のアングル３７の両側面に取り付けられている。一対のリードスクリュー３２ｊの上端部は、アングル３７の上面に回動自在に取り付けられている。
【００５６】
ピッカーモータ３１ｃ、回転台モータ３１ｆ、昇降台モータ３２ｃ、及びチャックモータ３４ｂは、ＦＦＣ（フレキシブルフラットケーブル）１１４（図１参照）を介して電気回路及び電源７の制御部と接続され、当該制御部により駆動を制御される。
【００５７】
図６〜図１２は、ピッカー３がマガジントレイ２１をケース２２から引き出す様子を示している。走行ベース３１が装置奥行き方向Ｘに走行するとともに、昇降台３４が一対の昇降レール３３に沿って装置高さ方向Ｚに昇降することにより、図６に示すように、複数のマガジン２の中から選択された１つのマガジン２の前方までピッカー３が移動される。また、図７に示すように、チャック３６が当該マガジン２の正面に向くように、回転台３２が回転される。
【００５８】
その後、図８に示すように、チャック３６が、マガジントレイ２１に向けて前進し、図９に示すように、一対のフック３５，３５をマガジントレイ２１の係合凹部２１ｄ，２１ｄに係合させる。この状態で、チャック３６がケース２２から後退することで、マガジントレイ２１がケース２２から引き出される。
【００５９】
図１０に示すように、チャック３６が後退する（ケース２２の前方に移動する）ことにより、マガジントレイ２１のカット部２１ａがケース２２の開口部２２ａを通過した後、回転台３２が回転軸３２ａを略中心として時計回りに回転される。言い換えれば、図１１に示すように、マガジントレイ２１の側面２１ｂの頂点２１ｆ（回転軸３２ａからの距離が最も離れた位置）から回転軸３２ａまでの距離Ｌ１が、ケース２２の側面の前端部２２ｂから回転軸３２ａまでの距離Ｌ２よりも小さくなったとき、回転台３２が回転軸３２ａを略中心として時計回りに回転される。この回転台３２の回転に伴い、マガジントレイ２１が図１１及び図１２に示すように回転軸３２ａを略中心として回転する。その結果、図１２に示すように、マガジントレイ２１がケース２２から完全に引き出される。
【００６０】
図１２に示すように、ケース２２から引き出されたマガジントレイ２１は、ピッカー３の走行ベース３１が装置後方へ走行することにより、図１３及び図１４に示すように、複数のディスクドライブ４の近傍に搬送される。その後、図１５に示すように、ピッカー３のチャック３６が前進し、リフター５上部のマガジントレイガイド５１上の所定の位置にマガジントレイ２１が載置される。なお、図１４及び図１５では、手前側のディスクドライブ４の図示を省略している。同様に、後述する図２１〜図２８についても、手前側のディスクドライブ４の図示を省略している。
【００６１】
図１６は、リフター５のマガジントレイガイド５１を取り外した状態を示す分解斜視図であり、図１７は、その組立斜視図である。
【００６２】
図１６及び図１７に示すように、リフター５は、昇降プレート５２と、回転カム５３と、駆動ギヤ５４と、リレーギヤ５５と、リフターモータ５６とを備えている。
【００６３】
昇降プレート５２は、棒状部材の一例である昇降ピン５２ａと、カムピン５２ｂとを備えている。本実施形態では、３つの昇降ピン５２ａと３つのカムピン５２ｂが、それぞれ１２０度間隔で設けられている。
【００６４】
３つの昇降ピン５２ａは、図１５に示すように、マガジントレイガイド５１上の所定の位置にマガジントレイ２１が載置された際に、図２Ｂに示すようにマガジントレイ２１に設けられた３つの孔２１ｅと一致する位置に設けられている。また、図１４に示すように、マガジントレイガイド５１には、３つの昇降ピン５２ａに対応する位置に３つの孔５１ａが設けられている。３つのカムピン５２ｂは、リフター５の本体に設けられた３つのスリット５ａに係合される。各スリット５ａは、装置高さ方向Ｚに延在するように設けられている。
【００６５】
回転カム５３の内周面には、３つのカムピン５２ｂの先端部が摺動する斜面を有する３つのカム溝５３ａが設けられている。回転カム５３の外周面には、カムギヤ５３ｂが設けられている。カムギヤ５３ｂは、駆動ギヤ５４と噛み合っている。駆動ギヤ５４は、リレーギヤ５５と噛み合っている。リレーギヤ５５は、リフターモータ５６の駆動軸に圧入されたモータギヤ（図示せず）と噛み合っている。
【００６６】
リフターモータ５６が駆動されると、リフターモータ５６の駆動力が、モータギヤ（図示せず）、リレーギヤ５５を介して駆動ギヤ５４に伝達され、駆動ギヤ５４が回転する。これにより、駆動ギヤ５４とカムギヤ５３ｂで噛み合う回転カム５３が回転する。回転カム５３が回転されると、３つのスリット５ａで回転を規制される３つのカムピン５２ｂの先端部が３つのカム溝５３ａの斜面を摺動し、昇降プレート５２が装置高さ方向Ｚに昇降する。リフターモータ５６は、ＦＦＣ１４（図１参照）を介して電気回路及び電源７の制御部と接続され、当該制御部により駆動を制御される。
【００６７】
図１７に示すように、昇降プレート５２が上昇すると、３つの昇降ピン５２ａがマガジントレイガイド５１の３つの孔５１ａ及びマガジントレイ２１の３つの孔２１ｅを通じてマガジントレイ２１内に侵入する。この３つの昇降ピン５２ａの上昇により、マガジントレイ２１から複数枚のディスク１００が押し出される。３つの昇降ピン５２ａにより押し出された複数枚のディスク１００は、キャリア６に保持される。
【００６８】
キャリア６は、図１８に示すように、複数台（例えば、１２台）のディスクドライブ４を収容するハウジング８に設けられている。キャリア６は、装置高さ方向Ｚに移動する移動ベース６１と、移動ベース６１に設けられたディスクチャックユニット６２とを備えている。
【００６９】
移動ベース６１は、図１９に示すように、ブッシュ６１ａを介してボールネジ９１に接続されるとともに、ガイド軸受け６１ｂを介してガイドシャフト９２に接続されている。ボールネジ９１及びガイドシャフト９２は、装置高さ方向Ｚに延在するように設けられている。
【００７０】
ボールネジ９１の上端部には、図１８に示すように、プーリ９１ａが取り付けられている。また、ハウジング８には、ボールネジ９１を軸回りに回転させる駆動力を発生させるキャリアモータ９３が設けられている。キャリアモータ９３の駆動軸には、プーリ９３ａが取り付けられている。プーリ９１ａとプーリ９３ａには、ベルト９４が架け回されている。
【００７１】
キャリアモータ９３が駆動されると、キャリアモータ９３の駆動力が、プーリ９３ａ、ベルト９４、プーリ９１ａを介してボールネジ９１に伝達され、ボールネジ９１が軸回りに回転する。このボールネジ９１の回転により、移動ベース６１が、ボールネジ９１及びガイドシャフト９２にガイドされて装置高さ方向Ｚに移動する。キャリアモータ９３は、電気回路及び電源７の制御部と接続され、当該制御部により駆動を制御される。
【００７２】
ディスクチャックユニット６２は、リフター５により押し出された複数枚のディスク１００を保持し、当該保持した複数枚のディスク１００を１枚ずつ分離するように構成されている。移動ベース６１及びディスクチャックユニット６２の詳細な構成については、後で詳しく説明する。
【００７３】
図１５に示すようにリフター５の上部の所定の位置にマガジントレイ２１が載置されると、図２０に示すように、移動ベース６１がマガジントレイ２１の近傍まで下降される。これにより、ディスクチャックユニット６２の先端部が、マガジントレイ２１に設けられた芯棒２３の係合部２３ａ（図２Ｂ参照）に係合し、ディスクチャックユニット６２と芯棒２３とが同軸となる。この状態で、リフターモータ５６が駆動されて、昇降プレート５２が上昇する（図１７参照）。
【００７４】
昇降プレート５２が上昇すると、昇降ピン５２ａが、孔５１ａ，２１ｅを通じてマガジントレイ２１内に侵入し、マガジントレイ２１から複数枚のディスク１００を押し出す。これにより、図２１に示すように、ディスクチャックユニット６２が複数枚のディスク１００を保持する。
【００７５】
ディスクチャックユニット６２が全てのディスク１００を保持すると、移動ベース６１が、ボールネジ９１及びガイドシャフト９２にガイドされて上昇する。これにより、ディスクチャックユニット６２の先端部と芯棒２３の係合部２３ａ（図２Ｂ参照）との係合が解除される。その後、図２２に示すように、ピッカー３が装置前方に移動して、マガジントレイ２１がディスクドライブ４の近傍から退避される。その後、電気回路及び電源７の制御部の制御により、図２３に示すように、ディスクドライブ４のトレイ４ａが排出される。
【００７６】
その後、図２４に示すように、ディスクチャックユニット６２が保持する複数枚のディスク１００がトレイ４ａの上方（例えば、直上）に位置するように、移動ベース６１が下降される。その後、ディスクチャックユニット６２により、最下部のディスク１００が他のディスクから分離され、トレイ４ａ上に載置される。図２５は、最下部のディスク１００がトレイ４ａ上に載置された状態を示す斜視図である。
【００７７】
最下部のディスク１００がトレイ４ａ上に載置されると、ディスクチャックユニット６２とトレイ４ａとが接触しないように、移動ベース６１が上昇される。その後、図２６に示すように、トレイ４ａがディスクドライブ４内に搬入される。この後又はこれと同時に、当該ディスクドライブと対向するディスクドライブ４のトレイ４ａが排出される（図示せず）。その後、前記と同様にして、当該トレイ４ａにディスク１００が載置され、当該トレイ４ａがディスクドライブ４内に搬入される。これにより、最下段（１段目）のディスクドライブ４へのローディング動作が完了する。このローディング動作を２段目以降も繰り返す。
【００７８】
図２７は、最上段（例えば、６段目）のディスクドライブ４のトレイ４ａにディスク１００を載置する様子を示している。最上段のディスクドライブ４へのローディング動作が完了すると、全てのディスクドライブ４にディスク１００が搬入され、各ディスクドライブ４のディスク１００に対して記録又は再生可能となる。
【００７９】
なお、各ディスクドライブ４のディスク１００の回収は、例えば、前記とは逆の順序で行えばよい。具体的には、以下の通りである。
【００８０】
まず、図２７に示すように、最上段のディスクドライブ４のトレイ４ａが排出される。
【００８１】
その後、当該トレイ４ａ上のディスク１００の中心穴１００ａにディスクチャックユニット６２が挿入され、ディスクチャックユニット６２が当該ディスク１００を保持する。
【００８２】
その後、ディスクチャックユニット６２にディスク１００を回収されたトレイ４ａがディスクドライブ４内に搬入される。この後又はこれと同時に、当該ディスクドライブと対向するディスクドライブ４のトレイ４ａが排出される（図示せず）。その後、前記と同様にして、当該トレイ４ａのディスク１００がディスクチャックユニット６２に回収され、当該トレイ４ａがディスクドライブ４内に搬入される。これにより、最上段（１段目）のディスクドライブ４のディスク回収動作が完了する。このディスク回収動作を最下段のディスクドライブ４内のディスク１００を回収するまで繰り返す。
【００８３】
ディスクチャックユニット６２が全てのディスク１００を回収すると、移動ベース６１が上昇される。その後、ピッカー３が装置後方に移動して、ディスクチャックユニット６２の下方にマガジントレイ２１がセットされる。
【００８４】
その後、移動ベース６１が下降され、ディスクチャックユニット６２の先端部が芯棒２３の係合部２３ａ（図２Ｂ参照）に係合し、ディスクチャックユニット６２と芯棒２３とが同軸となる。
【００８５】
その後、ディスクチャックユニット６２に保持された全てのディスク１００が、図２８に示すように、マガジントレイ２１内に押し出され、収納される。
【００８６】
その後、移動ベース６１が上昇されて、ディスクチャックユニット６２の先端部と芯棒２３の係合部２３ａとの係合が解除される。
【００８７】
全てのディスク１００を収納したマガジントレイ２１は、ピッカー３によりマガジンストッカー１内に戻される。このマガジンストッカー１内へのマガジントレイ２１の搬送は、例えば、図６〜図１５を用いて説明した動作と逆の動作を行うことにより行われる。
【００８８】
次に、ディスクチャックユニット６２の構成についてより詳細に説明する。
【００８９】
ディスクチャックユニット６２は、図２９及び図３０に示すように、セパレータフック６４Ａ，６４Ｂと、ボトムフック６５Ａ，６５Ｂと、スピンドルユニット６６と、カムシャフトユニット６７とを備えている。
【００９０】
図３１は、セパレータフック６４Ａ，６４Ｂとボトムフック６５Ａ，６５Ｂの拡大斜視図である。各フック６４Ａ〜６５Ｂは、略レバーの形状に形成され、装置高さ方向Ｚに延在する回動軸６４Ａａ〜６５Ｂａ及び駆動ピン６４Ａｂ〜６５Ｂｂと、装置高さ方向Ｚに対して交差する方向に突出する爪部６４Ａｃ〜６５Ｂｃとを備えている。
【００９１】
また、本実施形態において、ディスク１００の内周部には、図３２に示すように、凹部１００ｂが設けられている。凹部１００ｂは、ディスク１００の内周部の上側角部を平面１００ｂａと斜面１００ｂｂを有するように切断した形状に形成されている。セパレータフック６４Ａ，６４Ｂの爪部６４Ａｃ，６４Ｂｃの下面は、図３１に示すように、外周側から内周側に向かうに従い下方向に厚さが厚くなるように斜面を有するように形成されている。また、各爪部６４Ａｃ〜６５Ｂｃの上面は、装置高さ方向Ｚに対して直交するように形成されている。
【００９２】
スピンドルユニット６６は、図２９及び図３０に示すように、略円筒形状のスピンドルシャフト６６ａと、スピンドルシャフト６６ａの下方に設けられた略円錐台形状のスピンドルヘッド６６ｂと、スピンドルシャフト６６ａの上端部に設けられたフランジ６６ｃとを備えている。
【００９３】
スピンドルユニット６６は、フランジ６６ｃが移動ベース６１に直接又は間接的に取り付けられることにより、移動ベース６１と一体的に移動する。スピンドルシャフト６６ａの直径は、ディスク１００の中心穴１００ａの直径よりも小さく設定されている。例えば、スピンドルシャフト６６ａの直径は１４．５ｍｍであり、ディスク１００の中心穴１００ａの直径は１５ｍｍである。
【００９４】
スピンドルヘッド６６ｂは、図３３に示すように、スピンドルシャフト６６ａの下端部にネジ６６ｄにより固定される。スピンドルヘッド６６ｂとスピンドルシャフト６６ａとの間には、４つの開口部６６ｅが形成されている。これらの開口部６６ｅを通じて各フック６４Ａ〜６５Ｂの爪部６４Ａｃ〜６５Ｂｃが進退移動可能に構成されている。
【００９５】
スピンドルヘッド６６ｂには、図３４に示すように、４つの回動軸穴６６ｂａが設けられている。また、スピンドルシャフト６６ａには、図３３に示すように、回動軸穴６６ｂａと対向する位置に回動軸穴６６ａａが設けられている。各フック６４Ａ〜６５Ｂは、それぞれ対応する回動軸穴６６ａａ，６６ｂａに回動軸６４Ａａ〜６５Ｂａが挿入されることにより、回動自在に保持される。また、各フック６４Ａ〜６５Ｂは、セパレータフック６４Ａ，６４Ｂの爪部６４Ａｃ，６４Ｂｃの上面がボトムフック６５Ａ，６５Ｂの爪部６５Ａｃ，６５Ｂｃの上面よりも略ディスク１枚分、上方に位置するようにそれぞれ保持される。さらに、セパレータフック６４Ａとセパレータフック６４Ｂとは、スピンドルユニット６６の周方向に１８０度位相をずらした位置で保持され、ボトムフック６５Ａとボトムフック６５Ｂとは、スピンドルユニット６６の周方向に１８０度位相をずらした位置で保持される。
【００９６】
カムシャフトユニット６７は、図３５に示すように、略円筒状のカムシャフト６７ａと、カムシャフト６７ａの上端部に設けられたカムギヤ６７ｂと、カムシャフト６７ａの下端部に設けられたカムプレート６８Ａ，６８Ｂとを備えている。
【００９７】
カムギヤ６７ｂの中心部には、回動軸穴６７ｂａが設けられている。回動軸穴６７ｂａには、移動ベース６１に設けられた回動軸（図示せず）が挿入される。カムギヤ６７ｂは、図１８に示すように、リレーギヤ７０と噛み合っている。リレーギヤ７０は、例えば２つのギヤで構成され、移動ベース６１に回動自在に設けられている。また、リレーギヤ７０は、図１８又は図１９に示すように、移動ベース６１に設けられた駆動源の一例であるディスクチャックモータ７１の駆動軸に圧入されたモータギヤ７１ａと噛み合っている。
【００９８】
ディスクチャックモータ７１が駆動されると、ディスクチャックモータ７１の駆動力が、モータギヤ７１ａ、リレーギヤ７０、カムギヤ６７ｂを介してカムシャフト６７ａに伝達され、カムシャフト６７ａが回動する。ディスクチャックモータ７１は、電気回路及び電源７の制御部と接続され、当該制御部により駆動を制御される。
【００９９】
カムシャフト６７ａの下端部には、図３５に示すように、カムプレート６８Ａと係合する係合部６７ａａと、カムプレート６８Ｂと係合する係合部６７ａｂとが設けられている。係合部６７ａａ，６７ａｂは、それぞれ断面Ｄ形状に形成されている。
【０１００】
カムプレート６８Ａの中央部には、Ｄ形状の回動軸穴６８Ａａが設けられている。カムプレート６８Ａは、回動軸穴６８Ａａにカムシャフト６７ａの係合部６７ａａが係合することで、カムシャフト６７ａと一体的に回動可能に構成されている。
【０１０１】
カムプレート６８Ｂの上面中央部には、Ｄ形状の回動軸穴６８Ｂａが設けられている。カムプレート６８Ｂは、回動軸穴６８Ｂａにカムシャフト６７ａの係合部６７ａｂが係合することで、カムシャフト６７ａと一体的に回動可能に構成されている。
【０１０２】
また、カムプレート６８Ｂの下面中央部には、回動軸６８Ｂｂが設けられている。回動軸６８Ｂｂは、図２９に示すようにスピンドルシャフト６６ａの下端部に設けられた回動軸受け６６ａｂに挿入される。
【０１０３】
カムプレート６８Ａの上面には、カムシャフト６７ａが回動する際、セパレータフック６４Ａの駆動ピン６４Ａｂが摺動するカム溝６８Ａｂ（図３５参照）が設けられている。図３７Ａ〜図３７Ｄは、セパレータフック６４Ａの駆動ピン６４Ａｂがカム溝６８Ａｂを摺動する様子を示している。
【０１０４】
カムプレート６８Ａの下面には、カムシャフト６７ａが回動する際、セパレータフック６４Ｂの駆動ピン６４Ｂｂが摺動するカム溝６８Ａｃ（図３６参照）が設けられている。図３８Ａ〜図３８Ｄは、セパレータフック６４Ｂの駆動ピン６４Ｂｂがカム溝６８Ａｃを摺動する様子を示している。カム溝６８Ａｃは、カム溝６８Ａｂと鏡面対称の形状を有し、スピンドルユニット６６の周方向に１８０度位相をずらした位置に設けられている。
【０１０５】
カムプレート６８Ｂの上面には、カムシャフト６７ａが回動する際、ボトムフック６５Ｂの駆動ピン６５Ｂｂが摺動するカム溝６８Ｂｃ（図３５参照）が設けられている。図３９Ａ〜図３９Ｄは、ボトムフック６５Ｂの駆動ピン６５Ｂｂがカム溝６８Ｂｃを摺動する様子を示している。
【０１０６】
カムプレート６８Ｂの下面には、カムシャフト６７ａが回動する際、ボトムフック６５Ａの駆動ピン６５Ａｂが摺動するカム溝６８Ｂｄ（図３６参照）が設けられている。図４０Ａ〜図４０Ｄは、ボトムフック６５Ａの駆動ピン６５Ａｂがカム溝６８Ｂｄを摺動する様子を示している。カム溝６８Ｂｄは、カム溝６８Ｂｃと鏡面対称の形状を有し、スピンドルユニット６６の周方向に１８０度位相をずらした位置に設けられている。
【０１０７】
図４１Ａ〜図４１Ｄは、カムシャフト６７ａと４つのフック６４Ａ〜６５Ｂとの位置関係に着目して示す図である。
【０１０８】
セパレータフック６４Ａとセパレータフック６４Ｂとは、カムシャフト６７ａの回動に伴い、それらの爪部６４Ａｃ，６４Ｂｃが、スピンドルシャフト６６ａの内側の位置（図４１Ａ及び図４１Ｂ参照）と、スピンドルシャフト６６ａの外側の位置（図４１Ｃ参照）と、スピンドルシャフト６６ａの更に外側の位置（図４１Ｄ参照）に位置するように移動する。なお、セパレータフック６４Ａ，６４Ｂには、回動範囲を規制するためにストッパー６４Ａｄ，６４Ｂｄが設けられている。
【０１０９】
以下、全てのフック６４Ａ〜６５Ｂがスピンドルシャフト６６ａの内側に位置する図４１Ａに示す位置を収納位置という。また、ボトムフック６５Ａ，６５Ｂのみがスピンドルシャフト６６ａの外側に位置する図４１Ｂに示す位置を内周支持位置という。また、全てのフック６４Ａ〜６５Ｂがスピンドルシャフト６６ａの外側に位置する図４１Ｃに示す位置を切換位置という。また、セパレータフック６４Ａ，６４Ｂがスピンドルシャフト６６ａの更に外側に位置し、ボトムフック６５Ａ，６５Ｂがスピンドルシャフト６６ａの内側に位置する図４１Ｄに示す位置を分離位置という。
【０１１０】
次に、図４２〜図５０を用いて、キャリア６が複数枚のディスクから１枚のディスクを分離して、当該分離したディスクをディスクドライブ４のトレイ４ａに載置する動作について説明する。なお、図４２〜図５０では、説明の便宜上、セパレータフック６４Ａ，６４Ｂの爪部６４Ａｃ，６４Ａｄとボトムフック６５Ａ，６５Ｂの爪部６５Ａｃ，６５Ｂｃとが同一断面上にあるものとして図示している。また、ここでは、昇降ピン５２ａが複数枚のディスク１００をマガジントレイ２１から押し出した状態から説明を開始する。
【０１１１】
昇降ピン５２ａが複数枚のディスク１００を押し出すと、図４２に示すように、複数枚のディスク１００の中心穴１００ａにスピンドルユニット６６が挿入される。このとき、各フック６４Ａ〜６５Ｂは、収納位置（図４１Ａ参照）に位置する。
【０１１２】
図４３に示すように、ボトムフック６５Ａ，６５Ｂの爪部６５Ａｃ，６５Ｂｃが複数枚のディスクのうち最下部に位置するディスクより下方に位置するまで昇降ピン５２ａが複数枚のディスク１００を押し出すと、ディスクチャックモータ７１（図１９参照）が駆動され、カムシャフト６７ａが軸回りに正方向に回転する。これにより、図４４に示すように、各フック６４Ａ〜６５Ｂが収納位置（図４１Ａ参照）から内周支持位置（図４１Ｂ参照）に移動する。
【０１１３】
その後、移動ベース６１が上昇され、図４５に示すように、ボトムフック６５Ａ，６５Ｂの爪部６５Ａｃ，６５Ｂｃの上面が最下部のディスク１００の内周部に接触して全てのディスク１００を支持する。また、このとき、スピンドルヘッド６６ｂと芯棒２３の係合部２３ａ（図２Ｂ参照）との係合が解除される。
【０１１４】
その後、ディスクチャックモータ７１（図１９参照）が更に駆動され、カムシャフト６７ａが更に正方向に回転する。これにより、各フック６４Ａ〜６５Ｂが、内周支持位置（図４１Ｂ参照）から切換位置（図４１Ｃ参照）に移動し、図４６に示すように、セパレータフック６４Ａ，６４Ｂの爪部６４Ａｃ，６４Ｂｃが、最下部のディスク１００の凹部１００ｂに挿入される。
【０１１５】
その後、ピッカー３が装置前方に移動して、マガジントレイ２１がディスクドライブ４の近傍から退避される（図２２参照）。その後、ディスクドライブ４のトレイ４ａが排出される（図２３参照）。
【０１１６】
その後、スピンドルユニット６６に保持された複数枚のディスク１００がトレイ４ａの上方（例えば、直上）に位置するように、移動ベース６１が下降される。この状態で、ディスクチャックモータ７１が更に駆動され、カムシャフト６７ａが更に正方向に回転する。これにより、各フック６４Ａ〜６５Ｂが、切換位置（図４１Ｃ参照）から分離位置（図４１Ｄ参照）に移動し、図４７に示すように、ボトムフック６５Ａ，６５Ｂの爪部６５Ａｃ，６５Ｂｃが、スピンドルシャフト６６ａの内側の位置に移動する。その結果、図４８に示すように、最下部のディスク１００が、自重により落下し、トレイ４ａ上に載置される。また、このとき、セパレータフック６４Ａ，６４Ｂの爪部６４Ａｃ，６４Ｂｃの下面に形成された斜面が、最下部のディスク１００を下方に押圧し、当該ディスク１００が自重で落下するのを補助するように機能する。また、このとき、セパレータフック６４Ａ，６４Ｂがスピンドルシャフト６６ａの更に外側へと突出し、セパレータフック６４Ａ，６４Ｂの爪部６４Ａｃ，６４Ｂｃの上面が、残りのディスクのうちの最下部のディスク１００の内周部に接触して残りのディスク１００を支持する。
【０１１７】
最下部のディスク１００がトレイ４ａ上に載置されると、スピンドルユニット６６とトレイ４ａとが接触しないように、移動ベース６１が上昇される。その後、トレイ４ａがディスクドライブ４内に搬入される。この後又はこれと同時に、当該ディスクドライブと対向するディスクドライブ４のトレイ４ａが排出される（図示せず）。
【０１１８】
その後、ディスクチャックモータ７１が逆駆動され、カムシャフト６７ａが逆方向に回転する。これにより、各フック６４Ａ〜６５Ｂが、分離位置（図４１Ｄ参照）から切換位置（図４１Ｃ参照）に移動し、図４９に示すように、ボトムフック６５Ａ，６５Ｂの爪部６５Ａｃ，６５Ｂｃが、スピンドルシャフト６６ａの外側の位置に移動する。
【０１１９】
その後、ディスクチャックモータ７１が更に逆駆動され、カムシャフト６７ａが更に逆方向に回転する。これにより、各フック６４Ａ〜６５Ｂが、切換位置（図４１Ｃ参照）から内周支持位置（図４１Ｂ参照）に移動し、図５０に示すように、セパレータ６４Ａ，６４Ｂの爪部６４Ａｃ，６４Ｂｃが、スピンドルシャフト６６ａの内側の位置に移動する。その結果、セパレータフック６４Ａ，６４Ｂの爪部６４Ａｃ，６４Ｂｃの上面で支持されていた残りのディスク１００が、自重により落下し、ボトムフック６５Ａ，６５Ｂの爪部６５Ａｃ，６５Ｂｃの上面で支持される。
【０１２０】
その後、ディスクチャックモータ７１が駆動され、カムシャフト６７ａが正方向に回転する。これにより、各フック６４Ａ〜６５Ｂが、内周支持位置（図４１Ｂ参照）から切換位置（図４１Ｃ参照）に移動し、図４６に示すように、セパレータフック６４Ａ，６４Ｂの爪部６４Ａｃ，６４Ｂｃが、最下部のディスク１００の凹部１００ｂに挿入される。
【０１２１】
その後、スピンドルユニット６６に保持された複数枚のディスク１００が前記排出されたトレイ４ａの上方（例えば、直上）に位置するように、移動ベース６１が下降される。この状態で、ディスクチャックモータ７１が更に駆動され、カムシャフト６７ａが更に正方向に回転する。これにより、各フック６４Ａ〜６５Ｂが、切換位置（図４１Ｃ参照）から分離位置（図４１Ｄ参照）に移動し、図４７に示すように、ボトムフック６５Ａ，６５Ｂの爪部６５Ａｃ，６５Ｂｃが、スピンドルシャフト６６ａの内側の位置に移動する。その結果、図４８に示すように、最下部のディスク１００が、自重により落下し、トレイ４ａ上に載置される。また、このとき、セパレータフック６４Ａ，６４Ｂがスピンドルシャフト６６ａの更に外側へと突出し、セパレータフック６４Ａ，６４Ｂの爪部６４Ａｃ，６４Ｂｃの下面に形成された斜面が、最下部のディスク１００を下方向に押圧し、当該ディスク１００が自重で落下するのを補助するように機能する。また、このとき、セパレータフック６４Ａ，６４Ｂの爪部６４Ａｃ，６４Ｂｃの上面が、残りのディスクのうち最下部のディスクの内周部に接触して残りのディスク１００を支持する。
【０１２２】
最下部のディスク１００がトレイ４ａ上に載置されると、スピンドルユニット６６とトレイ４ａとが接触しないように、移動ベース６１が上昇される。その後、トレイ４ａがディスクドライブ４内に搬入される。これにより、最下段（１段目）のディスクドライブ４へのローディング動作が完了する。このローディング動作を２段目以降も繰り返す。
【０１２３】
最上段のディスクドライブ４へのローディング動作が完了すると、全てのディスクドライブ４にディスク１００が搬入され、各ディスクドライブ４のディスク１００に対して記録又は再生可能となる。
【０１２４】
次に、キャリア６が各ディスクドライブ４からディスク１００を回収する動作について説明する。
【０１２５】
まず、最上段のディスクドライブ４のトレイ４ａが排出される。
その後、移動ベース６１が下降され、当該トレイ４ａ上のディスク１００の中心穴１００ａにスピンドルユニット６６が挿入される。このとき、各フック６４Ａ〜６５Ｂは、収納位置（図４１Ａ参照）にある。
【０１２６】
ディスク１００がボトムフック６５Ａ，６５Ｂの上方に位置するまで、移動ベース６１が下降すると、ディスクチャックモータ７１（図１９参照）が駆動され、カムシャフト６７ａが正方向に回転する。これにより、各フック６４Ａ〜６５Ｂが収納位置（図４１Ａ参照）から内周支持位置（図４１Ｂ参照）に移動する。
【０１２７】
その後、移動ベース６１が上昇され、ボトムフック６５Ａ，６５Ｂの爪部６５Ａｃ，６５Ｂｃの上面がディスク１００の内周部に接触して当該ディスク１００を保持する。これにより、トレイ４ａ上のディスク１００が回収される。
【０１２８】
その後、ディスク１００が回収されたトレイ４ａがディスクドライブ４内に搬入される。この後又はこれと同時に、当該ディスクドライブ４と対向するディスクドライブ４のトレイ４ａが排出される。
【０１２９】
その後、スピンドルユニット６６に保持されたディスクが前記排出されたトレイ４ａ上のディスク１００の上方（例えば、直上）に位置するように、移動ベース６１が下降される。
【０１３０】
その後、ディスクチャックモータ７１（図１９参照）が逆駆動され、カムシャフト６７ａが逆方向に回転する。これにより、各フック６４Ａ〜６５Ｂが内周支持位置（図４１Ｂ参照）から収納位置（図４１Ａ参照）に移動する。これにより、スピンドルユニット６６に保持されたディスク１００が自重により落下し、前記排出されたトレイ４ａ上のディスク１００の上に積層される。
【０１３１】
その後、移動ベース６１が下降され、前記排出されたトレイ４ａ上の２枚のディスク１００の中心穴１００ａにスピンドルユニット６６が挿入される。
【０１３２】
２枚のディスク１００がボトムフック６５Ａ，６５Ｂの上方に位置するまで、移動ベース６１が下降すると、ディスクチャックモータ７１（図１９参照）が駆動され、カムシャフト６７ａが正方向に回転する。これにより、各フック６４Ａ〜６５Ｂが収納位置（図４１Ａ参照）から内周支持位置（図４１Ｂ参照）に移動する。
【０１３３】
その後、移動ベース６１が上昇され、ボトムフック６５Ａ，６５Ｂの爪部６５Ａｃ，６５Ｂｃの上面が最下部のディスク１００の内周部に接触して全てのディスク１００を支持する。
【０１３４】
その後、ディスク１００が回収されたトレイ４ａがディスクドライブ４内に搬入される。これにより、最上段（１段目）のディスクドライブ４のディスク回収動作が完了する。このディスク回収動作を最下段のディスクドライブ４内のディスク１００を回収するまで繰り返す。
【０１３５】
スピンドルユニット６６が全てのディスク１００を回収すると、移動ベース６１が上昇される。その後、ピッカー３が装置後方に移動して、スピンドルユニット６６の下方にマガジントレイ２１がセットされる。
【０１３６】
その後、移動ベース６１が下降され、スピンドルヘッド６６ｂ（図３３参照）が芯棒２３の係合部２３ａ（図２Ｂ参照）に係合し、スピンドルヘッド６６ｂと芯棒２３とが同軸となる。
【０１３７】
その後、ディスクチャックモータ７１（図１９参照）が逆駆動され、カムシャフト６７ａが逆方向に回転する。これにより、各フック６４Ａ〜６５Ｂが内周支持位置（図４１Ｂ参照）から収納位置（図４１Ａ参照）に移動する。これにより、スピンドルユニット６６に保持された全てのディスク１００が、スピンドルヘッド６６ｂ及び芯棒２３に沿って、自重により落下し、マガジントレイ２１内に収納される。
【０１３８】
次に、キャリア６の構成についてより詳しく説明する。
【０１３９】
キャリア６は、図５２に示すように、第１の複数枚（例えば、１２枚）のディスク１００Ａと第２の複数枚（例えば、１２枚）のディスク１００Ｂとの積層体を保持可能に構成されている。本実施形態において、第１の複数枚のディスク１００Ａは、複数（例えば、１２台）のディスクドライブ４のそれぞれから回収したディスクであり、第２の複数枚のディスク１００Ａは、次に複数のディスクドライブ４のそれぞれに供給するディスクである。
【０１４０】
キャリア６が第１及び第２の複数枚のディスク１００Ａ，１００Ｂの積層体を保持した状態において、第１の複数枚のディスク１００Ａが位置する第１の保持空間Ｅ１は、第２の複数枚のディスク１００Ｂが位置する第２の保持空間Ｅ２と同じ高さに構成されている。
【０１４１】
第２の保持空間Ｅ２は、ディスク支持部の一例であるボトムフック６５Ａ，６５Ｂの爪部６４Ａｃ〜６５Ｂｃの上方に設けられている。第１の保持空間Ｅ１は、第２の保持空間Ｅ２の上方で接するように設けられている。
【０１４２】
次に、図５１〜図５８を参照しつつ、本実施形態に係るディスク装置におけるディスクの交換動作について説明する。図５３は、本実施形態のディスク装置におけるディスクの交換動作を示すフローチャートである。図５４〜図５８は、本実施形態のディスク装置におけるディスクの交換動作を示す斜視図である。
【０１４３】
まず、複数のディスクドライブ４のそれぞれに供給された第１の複数枚のディスク１００Ａを、図５１に示すように、キャリア６により積層状態で回収する（ステップＳ１）。
【０１４４】
次いで、次に複数のディスクドライブ４に供給する第２の複数枚のディスク１００Ｂが収納されている第２のマガジントレイ２１Ｂを、図５４に示すように、受け渡し位置に搬送する（ステップＳ２）。ここで、「受け渡し位置」とは、複数枚のディスクを、キャリア６からマガジントレイ２１に又はマガジントレイ２１からキャリア６に受け渡し可能な位置（本実施形態では図１５に示す位置）をいう。
【０１４５】
なお、ステップＳ１内において、第２のマガジントレイ２１Ｂを搬送する動作の一部を並列処理させることによって、ステップＳ２にかかる時間を短縮させることも可能である。
【０１４６】
次いで、キャリア６が、図５２に示すように、回収した第１の複数枚のディスク１００Ａと、第２のマガジントレイ２１Ｂに収納された第２の複数枚のディスク１００Ｂとの積層体を保持する（ステップＳ３）。
【０１４７】
より具体的には、キャリア６が、図５５に示すように第２のマガジントレイ２１Ｂの近傍まで下降され、ディスクチャックユニット６２の先端部が、マガジントレイ２１に設けられた芯棒２３の係合部２３ａ（図２Ｂ参照）に係合する。その後、キャリア６が、各フック６４Ａ〜６５Ｂを内周支持位置（図４１Ｂ参照）から収納位置（図４１Ａ参照）に移動させることにより、第１の複数枚のディスク１００Ａの保持を一旦解除する。これにより、図５６に示すように、第２の複数枚のディスク１００Ｂ上に第１の複数枚のディスク１００Ａが積層される。その後、キャリア６が、図５７及び図５８に示すように、第１の複数枚のディスク１００Ａと第２の複数枚のディスク１００Ｂとの積層体を保持する。その後、キャリア６が上昇され、ディスクチャックユニット６２の先端部と芯棒２３の係合部２３ａとの係合が解除され、図５８に示す状態となる。
【０１４８】
次いで、複数枚のディスクドライブ４のそれぞれに第２の複数枚のディスク１００Ｂを供給する（ステップＳ４）。これにより、全てのディスクドライブ内のディスクの交換が完了し、各ディスクドライブ４のディスク１００に対して記録又は再生可能となる。
【０１４９】
次いで、第２のマガジントレイ２１Ｂを所定の位置に返却する（ステップＳ５）。
次いで、第１のマガジントレイ（図示せず）を受け渡し位置に搬送する（ステップＳ６）。
次いで、キャリア６が、回収した第１の複数枚のディスク１００Ａを第１のマガジントレイに収納する（ステップＳ７）。
次いで、第１のマガジントレイを所定の位置（マガジンストッカー１内の任意の位置）に返却する（ステップＳ８）。
【０１５０】
本実施形態に係るディスク装置によれば、キャリア６が第１の複数枚のディスク１００Ａと第２の複数枚のディスク１００Ｂとの積層体を保持可能に構成されている。これにより、第１の複数枚のディスク１００Ａに加えて第２の複数枚のディスク１００Ｂをキャリア６に保持させ、当該第２の複数枚のディスク１００Ｂを複数のディスクドライブ４に供給することができる。これにより、ディスクの交換に要する工程を７工程（ステップＳ１１〜Ｓ１７）から４工程（ステップＳ１〜Ｓ４）に減らすことができ、ディスク交換時間を大幅に抑えることができる。
【０１５１】
なお、ステップＳ５〜Ｓ８の動作は、各ディスクドライブ４がディスク１００に対して記録又は再生を行っている間に行うことができるので、ディスクの交換のために各ディスクドライブ４を停止させる必要がない。すなわち、ステップＳ５〜Ｓ８の動作を行う時間は、ディスク交換時間に影響しない。
【０１５２】
また、本実施形態に係るディスク装置によれば、キャリア６が第１の複数枚のディスク１００Ａと第２の複数枚のディスク１００Ｂとの積層体を保持可能に構成されているので、以下のような動作を行うこともできる。
【０１５３】
例えば、複数のディスクドライブ４に供給するためにキャリア６が第１の複数枚のディスク１００Ａを保持しているときに、オペレータにより、第１の複数枚のディスク１００Ａではなく、第２の複数枚のディスク１００Ｂを複数のディスクドライブ４に供給するように指示されたとする。この場合、本実施形態に係るディスク装置によれば、第１の複数枚のディスク１００Ａに加えて、第２の複数枚のディスク１００Ｂをキャリア６に保持させ、当該第２の複数枚のディスク１００Ｂを複数のディスクドライブ４に供給することができる。これにより、複数のディスクドライブ４に供給する予定のディスクを、第１の複数枚のディスク１００Ａから第２の複数枚のディスク１００Ｂに交換するのに要する時間を抑えることができる。
【０１５４】
なお、前記では、第１の保持空間Ｅ１と第２の保持空間Ｅ２とを同じ高さに構成したが、本開示はこれに限定されない。例えば、第１の保持空間Ｅ１は、第２の保持空間Ｅ２の２以上の整数倍の高さを有するように構成されてもよい。この構成によれば、図５９に示すように、第１及び第２の複数枚のディスク１００Ａ，１００Ｂに加えて、第３の複数枚のディスク１００Ｃをキャリア６が保持することができる。これにより、例えば、装置の使用者が交換するマガジントレイを間違った場合等の、マガジントレイの連続交換が必要な際にも、ステップＳ５〜Ｓ８の動作を行う時間の影響がなく動作を完了させることができる。
【０１５５】
なお、前記では、各マガジントレイ２１に収納されるディスクの枚数が全て同じであると想定しているが、本開示はこれに限定されない。各マガジントレイ２１に収納されるディスクの枚数は、異なっていてもよい。この場合、第１の保持空間Ｅ１の高さは、第１の複数枚のディスク１００Ａの枚数に応じて適宜設定すればよい。すなわち、第１の保持空間Ｅ１の高さは、第２の保持空間Ｅ２の高さよりも大きくても、小さくてもよい。
【０１５６】
また、前記では、キャリア６が、第２の複数枚のディスク１００Ｂの上方で第１の複数枚のディスク１００Ｂの保持を一旦解除して、第２の複数枚のディスク１００Ｂ上に第１の複数枚のディスク１００Ａを積層した後、第１及び第２の複数枚のディスク１００Ａ，１００Ｂの積層体を保持するようにしたが、本開示はこれに限定されない。キャリア６は、第１の複数枚のディスク１００Ａを保持した状態で、第２の複数枚のディスク１００Ｂを更に保持するように構成されてもよい。
【０１５７】
また、前記では、電気回路及び電源７に設けられた制御部が、ホストコンピュータからの指令に従い、ピッカー３、ディスクドライブ４、キャリア６などの各装置の動作を制御するものとしたが、このような制御は、所謂クラウド・コンピューティング・システムを利用して行うこともできる。図６０は、クラウド・コンピューティング・システムを利用してディスク装置の制御を行う場合のシステム構成の一例を模式的に示す構成図である。
【０１５８】
図６０に示すように、クラウド・コンピューティング・システムは、ネットワークＮｗを介してアクセス可能なサーバＳｃ（所謂クラウドサーバ）を備えている。この場合、ディスク装置Ｄｂは、例えば、電気回路及び電源７に設けられた制御ユニット３０７内にネットワーク通信部３１０を備えている。このネットワーク通信部３１０により、ディスク装置ＤｂがネットワークＮｗを介してクラウドサーバＳｃと通信可能に接続されている。かかるネットワーク通信部３１０は、ディスク装置Ｄｂの制御ユニット３０７内に設けてもよく、或いは制御ユニット３０７とは別に設けてもよい。
【０１５９】
ディスク装置Ｄｂを操作するユーザ端末機Ｐｃも、ネットワークＮｗを介してクラウドサーバＳｃと通信可能に接続されている。かかるユーザ端末機Ｐｃとしては、例えば、マイクロコンピュータを主要部として構成された所謂パーソナルコンピュータで通信機能を有するものを用いることができる。
【０１６０】
クラウドサーバＳｃは、例えば、ユーザ端末機Ｐｃを用いて行う所要の制御や演算を実行するためのプログラム、更には、かかる制御や演算に必要なデータ類についても、少なくともその一部を保持しており、ユーザの要求に応じて、その都度必要なプログラムやデータ類をダウンロードし利用に供することができる。
【０１６１】
また、図６０に示すように、以上のようなユーザ端末機ＰｃをネットワークＮｗに複数接続するようにしてもよい。また、複数のディスク装置ＤｂをネットワークＮｗに接続してそれぞれ制御することもできる。
【０１６２】
なお、以上のディスク装置Ｄｂは、ネットワーク通信部３１０を備えてクラウドサーバＳｃを利用して制御される点を除いては、前記実施形態に係るディスク装置と同様の構成を備え、同様の作動を行うものである。
【０１６３】
かかるクラウド・コンピューティング・システムを利用することにより、ディスク装置やユーザ端末機もしくはこれらに付設した記憶装置などにプログラムやデータ類を保持させていた従来に比して、これら機器及び装置の構成を簡素化することが可能になる。利用するプログラムやデータ類が肥大化せざるを得ない場合などには、特に有効である。
【０１６４】
なお、クラウドサーバＳｃを、前述のようなディスク装置Ｄｂの制御用途や演算用途に代えて、或いはこれらに加えて、ディスク装置Ｄｂのデータバックアップ用途に供するようにしてもよい。
【０１６５】
以上のように、本開示における技術の例示として、実施形態を説明した。そのために、添付図面及び詳細な説明を提供した。
したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１６６】
また、前述の実施形態は、本開示における技術を例示するためのものであるから、特許請求の範囲又はその均等の範囲において種々の変更、置き換え、付加、省略などを行うことができる。
【産業上の利用可能性】
【０１６７】
本開示にかかるディスク装置は、ディスク交換時間をより一層抑えることができるので、特に、多数のマガジンを備えるディスク装置に有用である。
【符号の説明】
【０１６８】
１    マガジンストッカー
１１    底シャーシ
１２    ガイドレール
１３    把手
１４    ラック
２    マガジン
２１    マガジントレイ
２１ａ  カット部
２１ｂ  側面
２１ｃ  切欠部
２１ｄ  係合凹部
２１ｅ  孔
２２    ケース
２２ａ  開口部
２３    芯棒
２３ａ  係合部
３    ピッカー
３１    走行ベース
３１ａ  台車
３１ｂ  ローラ
３１ｃ  ピッカーモータ
３１ｄ  減速ギヤ
３１ｅ  ピニオンギヤ
３１ｆ  回転台モータ
３１ｇ  減速ギヤ
３１ｈ  ピッカーベース
３１ｉ  モータギヤ
３１ｊ  モータギヤ
３２    回転台
３２ａ  回転軸
３２ｂ  回転台ギヤ
３２ｃ  昇降台モータ
３２ｄ  リレーギヤ
３２ｅ  連結シャフトギヤ
３２ｆ  連結シャフト
３２ｇ  ウォーム
３２ｈ  リレーギヤ
３２ｉ  リードスクリューギヤ
３２ｊ  リードスクリュー
３３    昇降レール
３４    昇降台
３４ａ  ナット
３４ｂ  チャックモータ
３４ｃ  減速ギヤ
３４ｄ  リードスクリューギヤ
３４ｅ  リードスクリュー
３４ｆ  モータギヤ
３５    フック
３６    チャック
３７    アングル
４    ディスクドライブ
４ａ  トレイ
５    リフター
５ａ  スリット
５１    マガジントレイガイド
５１ａ  孔
５２    昇降プレート
５２ａ  昇降ピン（棒状部材）
５２ｂ  カムピン
５３    回転カム
５３ａ  カム溝
５４    駆動ギヤ
５５    リレーギヤ
５６    リフターモータ
６    キャリア
６１    移動ベース
６１ａ  ブッシュ
６１ｂ  ガイド軸受け
６２    ディスクチャックユニット
６４Ａ，６４Ｂ      セパレータフック
６４Ａａ，６４Ｂａ  回動軸
６４Ａｂ，６４Ｂｂ  駆動ピン
６４Ａｃ，６４Ｂｃ  爪部
６４Ａｄ，６４Ｂｄ  ストッパー
６５Ａ，６５Ｂ      ボトムフック（ディスク支持部）
６５Ａａ，６５Ｂａ  回動軸
６５Ａｂ，６５Ｂｂ  駆動ピン
６５Ａｃ，６５Ｂｃ  爪部
６５Ａｄ，６５Ｂｄ  ストッパー
６６      スピンドルユニット
６６ａ    スピンドルシャフト
６６ａａ  回動軸穴
６６ａｂ  回動軸受け
６６ｂ    スピンドルヘッド
６６ｂａ  回動軸穴
６６ｃ    フランジ
６６ｄ    ネジ
６７      カムシャフトユニット
６７ａ    カムシャフト
６７ａａ，６７ａｂ  係合部
６７ｂ    カムギヤ
６７ｂａ  回動軸穴
６８Ａ，６８Ｂ      カムプレート
６８Ａａ，６８Ｂａ  回動軸穴
６８Ａｂ，６８Ａｃ  カム溝
６８Ｂｂ  回動軸
６８Ｂｃ，６８Ｂｄ  カム溝
７    電気回路及び電源
７０    リレーギヤ
７１    ディスクチャックモータ
７１ａ  モータギヤ
８    ハウジング
９１    ボールネジ
９１ａ  プーリ
９２    ガイドシャフト
９３    キャリアモータ
９３ａ  プーリ
９４    ベルト
１００    ディスク
１００ａ  中心穴
１００ｂ  凹部
Ｅ１    第１の保持空間
Ｅ２    第２の保持空間
【図１】
2014017044.tif 000003
【図２Ａ】
2014017044.tif 000004
【図２Ｂ】
2014017044.tif 000005
【図３】
2014017044.tif 000006
【図４】
2014017044.tif 000007
【図５】
2014017044.tif 000008
【図６】
2014017044.tif 000009
【図７】
2014017044.tif 000010
【図８】
2014017044.tif 000011
【図９】
2014017044.tif 000012
【図１０】
2014017044.tif 000013
【図１１】
2014017044.tif 000014
【図１２】
2014017044.tif 000015
【図１３】
2014017044.tif 000016
【図１４】
2014017044.tif 000017
【図１５】
2014017044.tif 000018
【図１６】
2014017044.tif 000019
【図１７】
2014017044.tif 000020
【図１８】
2014017044.tif 000021
【図１９】
2014017044.tif 000022
【図２０】
2014017044.tif 000023
【図２１】
2014017044.tif 000024
【図２２】
2014017044.tif 000025
【図２３】
2014017044.tif 000026
【図２４】
2014017044.tif 000027
【図２５】
2014017044.tif 000028
【図２６】
2014017044.tif 000029
【図２７】
2014017044.tif 000030
【図２８】
2014017044.tif 000031
【図２９】
2014017044.tif 000032
【図３０】
2014017044.tif 000033
【図３１】
2014017044.tif 000034
【図３２】
2014017044.tif 000035
【図３３】
2014017044.tif 000036
【図３４】
2014017044.tif 000037
【図３５】
2014017044.tif 000038
【図３６】
2014017044.tif 000039
【図３７Ａ】
2014017044.tif 000040
【図３７Ｂ】
2014017044.tif 000041
【図３７Ｃ】
2014017044.tif 000042
【図３７Ｄ】
2014017044.tif 000043
【図３８Ａ】
2014017044.tif 000044
【図３８Ｂ】
2014017044.tif 000045
【図３８Ｃ】
2014017044.tif 000046
【図３８Ｄ】
2014017044.tif 000047
【図３９Ａ】
2014017044.tif 000048
【図３９Ｂ】
2014017044.tif 000049
【図３９Ｃ】
2014017044.tif 000050
【図３９Ｄ】
2014017044.tif 000051
【図４０Ａ】
2014017044.tif 000052
【図４０Ｂ】
2014017044.tif 000053
【図４０Ｃ】
2014017044.tif 000054
【図４０Ｄ】
2014017044.tif 000055
【図４１Ａ】
2014017044.tif 000056
【図４１Ｂ】
2014017044.tif 000057
【図４１Ｃ】
2014017044.tif 000058
【図４１Ｄ】
2014017044.tif 000059
【図４２】
2014017044.tif 000060
【図４３】
2014017044.tif 000061
【図４４】
2014017044.tif 000062
【図４５】
2014017044.tif 000063
【図４６】
2014017044.tif 000064
【図４７】
2014017044.tif 000065
【図４８】
2014017044.tif 000066
【図４９】
2014017044.tif 000067
【図５０】
2014017044.tif 000068
【図５１】
2014017044.tif 000069
【図５２】
2014017044.tif 000070
【図５３】
2014017044.tif 000071
【図５４】
2014017044.tif 000072
【図５５】
2014017044.tif 000073
【図５６】
2014017044.tif 000074
【図５７】
2014017044.tif 000075
【図５８】
2014017044.tif 000076
【図５９】
2014017044.tif 000077
【図６０】
2014017044.tif 000078
【図６１】
2014017044.tif 000079